(57)【要約】      （修正有）【課題】ハロゲン電球あるいはコイル状フィラメントを支持するサポート部材やアンカ線あるいは排気管による遮光の低減、配光特性、発光特性の向上ができる片口金形ハロゲン電球及び照明装置を提供する。【解決手段】中間部に排気管３３部を有す両端封止形ハロゲン電球３と、ガラスバルブ３１の一端側を支持する短尺サポート部材２Ｂおよび他端側を支持するとともに前記ガラスバルブ３１の排気管３３側に対向しつつ管軸に沿って他端側へ延在するように配設された長尺サポート部材２Ａからなる一対のサポート部材２Ａ，２Ｂと、前記ハロゲン電球３および一対のサポート部材２Ａ，２Ｂを内部に収容し一端側に一対のサポート部材２Ａ，２Ｂを封止する圧潰封止部１２が形成され他端側が閉塞されてなる片端封止形の透光性外管１と、前記外管１の圧潰封止部１２に接合された口金７とを備えている片口金形ハロゲン電球Ｌ１およびこの電球Ｌ１を用いた照明装置９である。【選択図】図１
2009205927.tif 000002
【特許請求の範囲】
【請求項１】
中間部に排気管部が設けられたガラスバルブを有する両端封止形のハロゲン電球と；
前記ハロゲン電球のガラスバルブの一端側を支持する短尺サポート部材および前記ガラスバルブの他端側を支持するとともに前記ガラスバルブの排気管側に対向しつつ前記ガラスバルブの管軸に沿って前記ガラスバルブの他端側へ延在するように配設された長尺サポート部材からなる一対のサポート部材と；
前記ハロゲン電球および一対のサポート部材を内部に収容し一端側に一対のサポート部材の封止部材を封止する圧潰封止部が形成され他端側が閉塞されてなる片端封止形の透光性外管と；
前記外管の圧潰封止部に接合された口金と；
を具備していることを特徴とする片口金形ハロゲン電球。
【請求項２】
前記ガラスバルブの外面に可視光透過赤外線反射膜が形成されていることを特徴とする請求項１に記載の片口金形ハロゲン電球。
【請求項３】
直線状に形成されたフィラメントと；
前記フィラメントの一端側を支持する短尺サポート部材および前記フィラメントの他端側を支持するとともにフィラメント軸に沿って他端側へ延在するように配設された長尺サポート部材からなる一対のサポート部材と；
前記一対のサポート部材の基端側において両サポート部材を支持する絶縁性支持部材と；
前記支持部材に一端側が植設され、中間部の前記フィラメントと対向する部分においてはフィラメント軸に沿うとともに前記長尺サポート部材から前記フィラメントに向う方向の延長線上以外の部位に延在し、他端側がフィラメントの中間部に巻回されたアンカ線と；
一端側に前記一対のサポート部材の封止部材を封止する圧潰封止部が形成され、他端側が閉塞されてなる片端封止形のガラスバルブと；
前記ガラスバルブの圧潰封止部に接合された口金と；
を具備していることを特徴とする片口金形ハロゲン電球。
【請求項４】
前記片端封止形のガラスバルブを内部に収容し、一端部側の開口部に口金が接合され他端部側が閉塞されてなる透光性外管を備えていることを特徴とする請求項３に記載の片口金形ハロゲン電球。
【請求項５】
光放射開口が設けられた筐体と；
この筐体内に設けられた反射鏡およびソケットと；
長尺サポート部材側が反射鏡の最奥部に位置するようソケットに装着された前記請求項１ないし４のいずれか一に記載の片口金形ハロゲン電球と；
を備えていることを特徴とする照明装置。
【発明の詳細な説明】
【技術分野】
【０００１】
本発明は、直管状バルブの一端に口金を有する片口金形のハロゲン電球およびこの電球を用いた照明装置に関する。
【背景技術】
【０００２】
内部にコイル状のフィラメントを配設した直管状バルブの両端部を圧潰して形成した封止部に、セラミックス製の略円筒状をなすＲ７ｓ形の口金が接合された両端口金形のハロゲン電球がスタジオや舞台などの背景やスポット照明用の器具の光源として用いられている。
【０００３】
この電球は、反射鏡、保護ガラスカバーなどを備えた照明器具の筐体内に離間配設された導電性のばね部材からなるソケットの給電端子に、バルブ両端の口金最端部の端子部を電球軸方向から内方側に押圧係合させることにより電気的接続と機械的支持をして点灯される。
【０００４】
そして、前記照明器具内において直管形の電球は両端部が支持されて水平点灯されるので、電球から前方の保護ガラスカバーに向う放射光は直射光として、後方の反射鏡に向かう放射光は反射光としてそれぞれ保護ガラスカバーから前方に放射される。
【０００５】
しかし、このハロゲン電球を支持するばね部材からなる給電端子は、電球の点滅に伴う熱応力などによる経時劣化で電球側口金端子部に対する接点圧の低下を来たし、給電端子と口金端子部との間での接触抵抗が高まり発熱して口金が接合された封止部の温度が上がることがある。この封止部の温度が過度に上昇すると封止部内のモリブデンなどからなる気密封止部材の酸化を招きこの封止部からリークやクラックなどが発生する虞があった。
【０００６】
近時、前記ハロゲン電球のバルブ破損に対応して、両端封止形のハロゲン電球を片端封止形の外管バルブ内に収容して構成した二重管形電球が例えば特許文献１などに開示されている。
【特許文献１】特開平６−３１０１０９号公報
【発明の開示】
【発明が解決しようとする課題】
【０００７】
この特許文献１に記載された二重管形の管形電球は、上述したバルブの破損や器具着脱への対応効果が認められる。しかし、片端封止形の外管内に収容され封止部から延在させた長短一対のサポート部材に外部リード線部を接続して支持と給電がなされた両端封止形のハロゲン電球は、外管バルブの封止部より遠い側に向かう長尺のサポート部材が電球と並行して配設されていて反射鏡と組合せ用いられた場合、反射鏡の開口部側に長尺のサポート部材が延在しているとこのサポート部材が開口部側に向かう放射光の一部を遮蔽してしまい、照射面にサポート部材の陰影など配光むらを生じる不具合があった。
【０００８】
また、内部のハロゲン電球には、バルブの中央部にバルブ内の排気および不活性ガスなどの封入を行うための排気管が外方に突出していて、陰影を生じたり溶封されたチップオフ部の肉厚のガラス塊が点灯時にレンズ作用をなして点的に明るいスポットなどを生じるなどの問題がある。
【０００９】
また、一重管形の片口金形ハロゲン電球の場合には、コイル状フィラメントの中間部を支持するアンカが、その形状や配置などによっては放射光を遮蔽してしまう虞があった。
【００１０】
本発明は、前記事情に鑑みなされたもので、内部に両端封止形のハロゲン電球を収容した片口金形の透光性外管を備えた二重管形のハロゲン電球あるいは一端封止形のハロゲン電球において、ハロゲン電球あるいはコイル状フィラメントを支持するサポート部材やアンカ線あるいは排気管による遮光の低減を図り配光特性および発光特性の向上ができる片口金形のハロゲン電球およびこの電球を用いた照明装置を提供することを目的とする。
【課題を解決するための手段】
【００１１】
本発明の請求項１に記載の片口金形ハロゲン電球は、中間部に排気管部が設けられたガラスバルブを有する両端封止形のハロゲン電球と、前記ハロゲン電球のガラスバルブの一端側を支持する短尺サポート部材および前記ガラスバルブの他端側を支持するとともに前記ガラスバルブの排気管側に対向しつつ前記ガラスバルブの管軸に沿って前記ガラスバルブの他端側へ延在するように配設された長尺サポート部材からなる一対のサポート部材と、前記ハロゲン電球および一対のサポート部材を内部に収容し一端側に一対のサポート部材の封止部材を封止する圧潰封止部が形成され他端側が閉塞されてなる片端封止形の透光性外管と、前記外管の圧潰封止部に接合された口金とを具備していることを特徴とする。
【００１２】
本発明の片口金形ハロゲン電球は、外管バルブ内においてハロゲン電球の支持と給電をなすサポート部材およびハロゲン電球の排気管とをハロゲン電球側面の同一側に配設してあるので、これら部材が光放射を遮蔽し陰影を生じたりスポットを生じる部分をハロゲン電球軸回りのほぼ一方向の部分とすることができる。
【００１３】
このハロゲン電球は、照明装置（器具）の反射鏡側に上記サポート部材および排気管側を反射鏡の光軸に沿って位置させ配設することにより、反射光に生じる陰影やスポットを著しく軽減することができる。
【００１４】
また、ハロゲン電球を外管内に収容した二重管形構造とすることによって、内部のハロゲン電球のバルブが破損したとき外管がガラスなどの飛散を防止することができる。
【００１５】
なお、本発明および以下の発明において一対のサポート部材とは、直管状をなす両端封止形のハロゲン電球または直線状をなすフィラメントの支持と給電とをなす部材を指し、このサポート部材が封止されているとしたが、ガラスバルブ端部の封止部にこのサポート部材が直接に封止されることもあるが、通常はこのサポート部材に接続されたモリブデンなどの金属箔などからなる気密封止部材部分が気密封止されている。
【００１６】
一対のサポート部材は、ハロゲン電球の場合には、電球(バルブ)軸と略平行に配設されて、電球の一端側を短尺のサポート部材で、また、他端側を長尺のサポート部材で支持するとともに端部の外部リード線と接続をしている。また、フィラメントの場合は、フィラメント(バルブ)軸と略平行に配設されて、フィラメントの一端側を短尺のサポート部材に、また、他端側を長尺のサポート部材に接続して支持するようにしている。
【００１７】
また、口金は、耐熱電気絶縁性のセラミックスなどからなるバルブや圧潰封止部を受容する収容部を有する外形が直方体形状や円筒形状の基体に、一対の端子ピンを有するものからなり、電球を支持するサポート部材との位置関係が規制され、ハロゲン電球をソケットに対し所望の方向に向けて装着をすることができる。
【００１８】
さらに、外管や内部電球のガラスバルブに、光拡散性や着色を施したりあるいはバルブ軸に沿って一部分に光反射手段などが設けてあってもよい。
【００１９】
本発明の請求項２に記載の片口金形ハロゲン電球は、前記ガラスバルブの外面に可視光透過赤外線反射膜が形成されていることを特徴とする。
【００２０】
ガラスバルブ外面に可視光透過赤外線反射膜を形成することにより、コイル状フィラメントから発した熱線（赤外線）を被膜により反射してフィラメントに戻し、発光効率の向上をはかることができる。
【００２１】
可視光透過赤外線反射膜は、バルブの外面に浸漬法、真空蒸着などのＰＶＤ法やＣＶＤ法などの手段でバルブの外面に形成することができる。
【００２２】
本発明の請求項３に記載の片口金形ハロゲン電球は、直線状に形成されたフィラメントと、前記フィラメントの一端側を支持する短尺サポート部材および前記フィラメントの他端側を支持するとともにフィラメント軸に沿って他端側へ延在するように配設された長尺サポート部材からなる一対のサポート部材と、前記一対のサポート部材の基端側において両サポート部材を支持する絶縁性支持部材と、前記支持部材に一端側が植設され、中間部の前記フィラメントと対向する部分においてはフィラメント軸に沿うとともに前記長尺サポート部材から前記フィラメントに向う方向の延長線上以外の部位に延在し、他端側がフィラメントの中間部に巻回されたアンカと、一端側に前記一対のサポート部材を封止する圧潰封止部が形成され、他端側が閉塞されてなる片端封止形のガラスバルブと、前記ガラスバルブの圧潰封止部に接合された口金とを具備していることを特徴とする。
【００２３】
本発明は、ガラスバルブの管軸に沿い張架されたフィラメントの中間部をバルブの一端部側から延在して支持するアンカが設けられた片端封止形の電球に対応したもので、長尺のサポート部材からフィラメントに向う方向の延長線上にアンカが存在しないので、この方向への放射光がアンカによって遮蔽される影響を低減することができる。
【００２４】
すなわち、フィラメントの中間部に延びるアンカを長尺サポート部材側に近寄らせ配設することにより、所定の方向へ効率の高い光放射を行うことができ、上記請求項１に記載と同様な作用を奏する片口金形ハロゲン電球を提供することができる。
【００２５】
本発明の請求項４に記載の片口金形ハロゲン電球は、前記片端封止形のガラスバルブを内部に収容し、一端部側の開口部に口金が接合され他端部側が閉塞されてなる透光性外管を備えていることを特徴とする。
【００２６】
上記請求項３に記載の片口金形ハロゲン電球に透光性外管を被せた電球で、上記請求項３に記載と同様な作用を奏するほか、外管が内部電球の破損時にガラス片などの飛散を防ぐことができる。
【００２７】
本発明の請求項５に記載の照明装置は、光放射開口が設けられた筐体と、この筐体内に設けられた反射鏡およびソケットと、長尺側のサポート線部材および排気管部側が反射鏡の最奥部に位置するようソケットに装着された上記請求項１ないし４のいずれか一に記載の片口金形ハロゲン電球とを備えていることを特徴とする。
【００２８】
ハロゲン電球から反射鏡側に向かう放射光のうち長尺のサポート部材やアンカおよび排気管が位置する部分はこれら部材が放射光を遮蔽し、反射鏡および照射光に薄い筋状の陰影を生じたりチップオフ部のガラス塊のレンズ作用などによるスポットを生じる。
【００２９】
しかし、本発明によればこの陰影やスポットなどを含む光は反射鏡の最奥部に入射するため目立たず反射拡散するか、またはその殆どがハロゲン電球に反射されるので他の反射光および直射光とともに前面の光放射開口から殆ど放射されることがない。
【００３０】
したがって、照射面における陰影やスポットの発生を低減して照度の均一化がはかれ、配光むらを抑制して配光特性の向上した照明装置（器具）を提供することができる。
【００３１】
また、この照明装置（器具）は、装着されるハロゲン電球の端部にＧＸ形，ＧＹＸ形やＧ形などの基体に一対の端子ピンを有する口金を用いているので、方向性をもってハロゲン電球の位置決めが容易であるとともに、ソケットへの装着時に電球の指向性を容易に認識することができるなど電球の着脱や位置調整などの作業性も向上できる。
【発明の効果】
【００３２】
請求項１記載の発明によれば、外管内においてハロゲン電球の支持と給電をなすサポート部材およびハロゲン電球の排気管の存在によって生じる陰影やスポットが軽減され配光特性の向上がはかれるとともに内部電球破損時のガラスなどの飛散を防止した片口金形ハロゲン電球を提供することができる。
【００３３】
請求項２記載の発明によれば、ハロゲン電球バルブの外面に形成した可視光透過赤外線反射膜により、コイル状フィラメントから発した熱線（赤外線）を被膜により反射してフィラメントに戻し、発光効率の向上がはかれた片口金形ハロゲン電球を提供することができる。
【００３４】
請求項３記載の発明によれば、ガラスバルブの一端部側から延在してフィラメントの中間部を支持するアンカが設けられた片端封止形の電球において、サポート部材およびアンカの存在によって生じる陰影やスポットを軽減して配光特性の向上がはかれる。
【００３５】
請求項４記載の発明によれば、上記請求項３記載の電球バルブに透光性の外管を被せたもので、上記請求項３に記載と同様な効果を奏するほか、外管が内部電球の破損時にガラス片などの飛散が防げる片口金形ハロゲン電球を提供することができる。
【００３６】
請求項５記載の発明によれば、照射面における陰影やスポットの発生を低減して照度の均一化がはかれ、配光むらを抑制して配光特性の向上がはかれるとともにハロゲン電球支持の安定性を向上した照明装置（器具）を提供することができる。
【００３７】
また、この照明装置（器具）は、バルブの端部に、一対の端子ピンを有する口金を接合しているので、ソケットへの装着時に電球の指向性を容易に認識することができるなど電球の着脱や位置調整などの作業性を向上できる。
【発明を実施するための最良の形態】
【００３８】
以下、本発明の実施の形態を図面を参照して説明する。図１は片口金形ハロゲン電球Ｌ１の第１の実施の形態を示す正面図、図２は図１の電球Ｌ１の側面図である。
【００３９】
図において１は片口金形の外管で、石英ガラスなどからなる外径が約３０ｍｍ、全長（頂部から封止部端部まで）が約１４０ｍｍの直管状の透光性外管バルブ１１の一端には、内部に気密封止部材である一対のモリブデン箔２１，２１を埋設した略扁平状の圧潰封止部１２が、また、他端は略半球状や略平面状をしたここでは略半球状をした頂部側１３には排気管１４が接続され、先端には溶封したチップオフ部１５が形成され、これらで外管１を構成している。また、外管バルブ１１内には酸素を含有した不活性ガスなどが封入されている。
【００４０】
前記モリブデン箔２１，２１の一端側にはモリブデンやタングステンなどの高融点金属からなる線状や板状の、ここでは外径が約０．９ｍｍのモリブデン線からなる長短一対のサポート部材２Ａ，２Ｂの一端側が、また、他端側にはモリブデン線からなる外部導線２２が接続してある。このとき各サポート部材２Ａ，２Ｂは折曲された部分を含み上記略扁平状の圧潰封止部１２と略同一平面上にあって外管バルブ１１の内方に延在している。
【００４１】
また、３は両端封止形の定格が１００Ｖ７００Ｗのハロゲン電球で、石英ガラスからなる直管形のバルブ３１の両端には、内部に気密封止部材であるモリブデン箔４１，４１を埋設して圧潰や焼絞りして形成した、ここでは略扁平状に圧潰した封止部３２，３２が、バルブ３１の中間部にはバルブ軸と直交した方向に突出して先端を溶封したチップオフ部３４が形成された排気管３３を有している。
【００４２】
前記各モリブデン箔４１，４１の両端にはモリブデンやタングステンなどの高融点金属からなる内部リード線４２および外部リード線４３が接続され、バルブ３１内方に延在した内部リード線４２，４２の先端に発光源となるタングステン線を巻回したコイル状のフィラメント５のレグ部が接続してある。また、８０，…はフィラメント５の中間部に巻回してフィラメント５を保持する複数本のリング状のアンカで、バルブ３１内には臭素や塩素などのハロゲン化物とアルゴンなどの不活性ガスが所定圧封入してハロゲン電球３を構成している。
【００４３】
また、このバルブ３１の外面には酸化チタン、酸化タンタル、酸化ジルコニウム、酸化亜鉛や酸化セリウムなどからなる高屈折率物層と、酸化ケイ素、フッ化マグネシウムやフッ化セリウムなどからなる低屈折率物層とを交互に数ないし数十層重層した可視光透過赤外線反射膜６が形成してあってもよい。
【００４４】
前記ハロゲン電球３は、外管１軸およびハロゲン電球３軸と同軸方向に並行して延在させ折り曲げするなどして形付けした長短のサポート部材２Ａ，２Ｂ他端の先端部近傍において封止部３２，３２端部から導出した外部リード線４３，４３と直接または線体や板体からなる給電部材４４を介し溶接などの手段で接続して、電球３の支持と給電がなされるようになっている。このときバルブ３１の中間部から突出して設けられた排気管３３は、バルブ３１に沿って延在配設された長尺のサポート部材２Ａと対向する、サポート部材２Ａと略同一平面上の近接した位置にある。
【００４５】
また、外管バルブ１１の頂部１３側の排気管１４内には、外部リード線４３の先端が線状のまま遊嵌あるいは折曲げやコイル状にして弾性的に嵌入させている。
【００４６】
このときハロゲン電球３両端の圧潰した封止部３２，３２の少なくとも一方（図では両封止部３２，３２）に、金属薄板からなるバンド４５，４５を巻回してサポート部材２Ａ，２Ｂと連結接続しておくことにより、電球３をより強固に支持させることができる。
【００４７】
なお、上記においては外部リード線４３を外管バルブ１１の頂部１３側の排気管１４内に位置させたが、長尺のサポート部材２Ａ側の先端部を排気管１４内に位置させこのサポート部材２Ａに外部リード線４３を接続するようにしてもよい。また、外管１やハロゲン電球３のガラス部分やサポート部材２Ａ，２Ｂなどの諸部材は、電球３の点灯時に伸長し、消灯時に収縮するのでこの伸縮に対応するよう、例えばサポート部材２Ａ，２Ｂと外部リード線４３との接続部をコイル状としたり、封止部３２とバンド４５との間に隙間を設け滑動できるなど伸縮を吸収するような構成にしておくことが好ましい。
【００４８】
さらに、外管１の圧潰封止部１２にはＧＸ、ＧＹＸ形やＧ形などの例えばＧＸ９．５形のアルミナなどのセラミックスからなる耐熱電気絶縁性物製の外形が直方体状をなし開口部孔内に封止部１２が受容される横断面が矩形状の基体７１に一対の端子ピン７２，７２が設けられた口金７が耐熱性の接着剤（図示しない。）を介し接合されるとともに、端子ピン７２，７２に外部リード線２２，２２を接続して片口金形のハロゲン電球Ｌ１が構成される。
【００４９】
つぎに、上述した片口金形ハロゲン電球Ｌ１の組み立て手順の一例を説明する。まず、バルブ３１の外面に浸漬法、真空蒸着などのＰＶＤ法やＣＶＤ法などの手段で可視光透過赤外線反射膜６を形成したハロゲン電球３の両圧潰封止部３２，３２に金属薄板からなるバンド４５，４５を巻装する。
【００５０】
そして、電球３を長尺のサポート部材２Ａに並行して沿わせるとともに排気管３３部の先端をサポート部材２Ａに最も近接させた状態に配設して、一方のバンド４５を長尺のサポート部材２Ａに溶接し、他方のバンド４５は電球３と並行して配設した短尺のサポート部材２Ｂを溶接する。
【００５１】
ついで、この一対のサポート部材２Ａ，２Ｂの他端側に外部導線２２を接続したモリブデン箔２１，２１をそれぞれ両サポート部材２Ａ，２Ｂと同一平面上にあるよう位置させて溶接などの手段で接続する。
【００５２】
つぎに、一端側が開口し、他端（頂部１３）側が略半球状部をなして閉塞され中央に排気管１４が設けられた石英ガラスからなる管形外管バルブ１１内に上記ハロゲン電球３側を入れ、排気管１４内に一方の外部リード線４３の先端部を導入させるとともにバルブ１１の開口部端部内に両モリブデン箔２１，２１を平行に位置させる。
【００５３】
そして、この外管バルブ１１の端部をバーナで加熱し溶融したらピンチャーを用いモリブデン箔２１，２１面に向け圧潰して、内部にモリブデン箔２１，２１を埋設した略扁平状の封止部１２を形成する。ついで、このバルブ１１内を排気管１４を介し排気し、所定の不活性ガスまたは窒素ガスなどを所定圧封入して、排気管１４を溶封してチップオフ部１５を形成し外管１が完成される。なお、このとき、排気管１４内にある外部リード線４３の先端部がガラス中に埋め込まれていてもよい。
【００５４】
つぎに、外管バルブ１１の略扁平状に圧潰した封止部１２を、口金７の基体７１の開口部内に位置させてその隙間内にシリコン系などの耐熱性の接着剤を充填し加熱固化して両者を接合するとともに、端子ピン７２，７２に挿通した外部リード線２２，２２を溶接やかしめなどの手段で接続して片口金形ハロゲン電球Ｌ１が完成される。
【００５５】
このようにして完成された片口金形ハロゲン電球Ｌ１は、外管１端部の横断面が略矩形状をなす圧潰封止部１２および口金７の直方体状をなす基体７１と、外管１内に管軸に沿い収容したハロゲン電球３およびこの電球３を支持するサポート部材２Ａ，２Ｂの位置関係を規正することができる。
【００５６】
すなわち、口金７の基体７１、端子ピン７２，７２、外管１の圧潰封止部１２、サポート部材２Ａ，２Ｂ、ハロゲン電球３内のコイル状フィラメント５および排気管３３を略同一平面上に配設することにより、電球Ｌ１をソケットに対して１８０度対称となるように方向性をもたせて装着することができるので、例えば遮光する長尺のサポート部材２Ａ側を所定方向から外すなどして配光特性の向上がはかれるとともに電球Ｌ１支持の安定性を向上することができる。
【００５７】
また、バルブ３１の外面に可視光透過赤外線反射膜６が形成してあるハロゲン電球３の場合は、コイル状フィラメント５から発した熱線（赤外線）を被膜６により反射してフィラメント５に戻しているので、発光効率の向上をはかることができる。
【００５８】
なお、金属酸化物材料を重層して可視光透過赤外線反射膜６が形成してあるハロゲン電球３を収容した外管１内は、適当な量の酸素を含有した不活性ガスまたは窒素ガスを封入することが好ましい。
【００５９】
すなわち、金属酸化物材料を重層して形成した可視光透過赤外線反射膜６は、経時とともに還元などされて光干渉膜としての性能が劣化し発光特性の低下を招き易いが、適量の酸素を添加することによりこれを防止し長期に亘り高い働程特性を維持させることができる。なお、この酸素の含有割合は電球３の電力、点灯時のフィラメント５やバルブ３１の温度、被膜６材料の種類や成膜条件、設計寿命あるいは不活性ガスなどの種類や圧力を考慮して適宜決めればよい。
【００６０】
また、図３〜図５は本発明の片口金形ハロゲン電球の第２および第３の実施の形態を示し、図中、図１、図２と同一部分には同一の符号を付してその説明は省略する。図３、図４は第２の実施の形態を示し、図３（ａ）図は正面図、同（ｂ）図は上面図、図４（ａ）は図３の（ａ）図の側面図、同（ｂ）図は上面図、また、図５は第３の実施の形態を示す正面図である。
【００６１】
上記図１、図２に示す第１の実施の形態のハロゲン電球Ｌ１は、外管内において長短一対のサポート部材で光源となるハロゲン電球を支持した二重管形構造であったが、この図３、図４に示す第２の実施の形態は、外管を有しない長短一対のサポート部材に光源となるコイル状フィラメントを支持させた片口金形のハロゲン電球Ｌ２である。
【００６２】
この片口金形ハロゲン電球Ｌ２は、石英ガラスなどからなる外径が約２０ｍｍ、全長（頂部から封止部端部まで）が約１２５ｍｍの直管状のガラスバルブ３１の一端には、内部に気密封止部材である一対のモリブデン箔２１，２１を埋設した略扁平状の圧潰封止部３２が、また、他端の略半球状をした頂部側３５には排気管３３が接続され、先端には溶封したチップオフ部３４が形成されている。また、ガラスバルブ３１内にはハロゲン化物とアルゴンなどの不活性ガスが所定圧封入され、圧潰封止部３２に仮想線で示す口金７が接合してある。
【００６３】
前記モリブデン箔２１，２１の一端側には長短一対のモリブデンやタングステンなどの高融点金属からなる線状や板状の、ここでは外径が約１．２ｍｍのモリブデン線からなるサポート部材２Ａ，２Ｂが、また、他端側にはモリブデン線からなる外部導線２２，２２が接続してあり、各サポート部材２Ａ，２Ｂは折曲された部分を含み上記略扁平状の圧潰封止部３２と略同一平面上にあってバルブ３１の内方に略平行して延在している。
【００６４】
この長短一対のサポート部材２Ａ，２Ｂは、基端部側において絶縁性支持部材８５により一体化されている。この絶縁性支持部材８５は例えば一対のガラス棒で両サポート部材２Ａ，２Ｂを挟み、両ガラス棒を加熱溶融して融合部中に両サポート部材２Ａ，２Ｂを埋め込んだビード８５により固定一体化されている。
【００６５】
また、このビード８５には複数本、ここでは３本の外径が約０．３ｍｍのモリブデン線からなるアンカ８１,８２,８３が離間して植設されている。なお、このビードは石英ガラスやホウケイ酸ガラスなどの硬質ガラスで形成されている。
【００６６】
直線状をなすコイル状フィラメント５は、両端部のコイル状のレグ部５２，５２を前記長短のサポート部材２Ａ，２Ｂにそれぞれ挿入して固定することにより支持と電気的接続がなされているとともに発光部５１の中間部における３箇所において前記ビード８５に植設されたアンカ８１,８２，８３の先端部を巻き付けマウントを構成している。
【００６７】
そして、このマウントは前記コイル状フィラメント５、一対のサポート部材２Ａ，２Ｂおよびフィラメント５と並行する部分における３本のアンカ８１,８２，８３の中間部が互いに電気的に離間してバルブ３１軸（＝フィラメント５軸）と同軸方向に延在しているとともに、３本のアンカ８１,８２，８３の中間部は長尺のサポート部材２Ａ側に近い位置に配設されている。また、各アンカ８１,８２，８３の先端側はフィラメント５軸と直交する方向に曲げられフィラメント５に巻き付けられている。
【００６８】
すなわち、図３(ｂ)および図４(ｂ)に示すバルブ３１軸（＝フィラメント５軸）と直交した横断面から見て明らかなように長尺のサポート部材２Ａ軸とフィラメント５軸とを結ぶ直線の延長線上（フィラメント５軸を中心として長尺のサポート部材２Ａ位置との反対側）にはアンカが存在していない。
【００６９】
そして、複数本のアンカの内、半数以下のアンカが、しかも、前記直線から±約６０度の範囲内、好ましくは±約９０度の範囲内にはアンカ８１,８２，８３が存在しないよう、アンカ８１,８２，８３を長尺のサポート部材２Ａに近寄らせて延在させてある。
【００７０】
このように構成した片口金形のハロゲン電球Ｌ２は、コイル状フィラメント５軸を中心として光放射を遮蔽する長尺のサポート部材２Ａおよび複数本のアンカ８１,８２，８３を、長尺のサポート部材２Ａ側近くに寄せ集め配設してあるので、上述した片口金形ハロゲン電球Ｌ１と同様に所定範囲に陰影のない配光特性の高められた光放射を行わせることができる。
【００７１】
なお、前記第２の実施の形態に示した片口金形のハロゲン電球Ｌ２では、コイル状フィラメント５の中間を複数本、３本のアンカ８１,８２，８３を用い保持させたが、アンカの本数はフィラメント５の全長に合わせ選べばよく、また、短いフィラメント５の場合には１本でもよく、これらアンカの本数に関係なくアンカは長尺のサポート部材２Ａに近寄らせて延在させればよい。また、アンカ８１,８２，８３の先端部は、フィラメント５に完全に巻き付けられたものに限らずかぎ状などでもよく、また、アンカはフィラメント５と常時接触していない構造であってもよい。
【００７２】
この片口金形のハロゲン電球Ｌ２においても、ガラスバルブ３１の外面に可視光透過赤外線反射膜６を形成することにより、さらに、発光効率を向上させることができる。
【００７３】
また、図５の第３の実施の形態に示す片口金形のハロゲン電球Ｌ３は、図３，４に示す電球Ｌ２に透光性外管１を被せた二重管構造で、端部には略円筒形状の基体７１を有する口金７が接合された電球Ｌ３である。
【００７４】
この電球Ｌ３は、前記電球Ｌ２、石英ガラスやホウケイ酸ガラスなどで形成した下端側が開口し上方側を略半球状に閉塞した透光性外管バルブ１１、口金７および耐熱接着剤を用意し、例えば口金７の基体７１内の中央寄りの段部７４にガラスバルブ３１の封止部３２を入れ、底面が段部７４に当接したら耐熱接着剤を周囲に注入して焼成し仮固定し、ついで、外管バルブ１１を前記電球Ｌ３のバルブ３１に被せ、開口部側が上方側の段部７５に当接したら周囲に耐熱接着剤を注入し焼成することにより接着剤が固化して前記三者の接合が行われる。なお、この接着剤は外管バルブ１１内の気密性を維持するものではなく、外管バルブ１１内は外気と連通されていてもよい。また、接合に先立ち端子ピン７２，７２に外部導線２２，２２を挿通させておくことはいうまでもない。
【００７５】
この片口金形のハロゲン電球Ｌ３も配光特性や発光特性の向上がはかれるとともに二重管構造としたので、内部電球３のガラスバルブ３１が、万一、破損しても外管１がその飛散を防止することができる。
【００７６】
前記片口金形のハロゲン電球Ｌ３の実施の形態では、透光性外管１の一端側は開口したバルブ１１であったが、外管バルブ１１の端部は気密でも非気密状態でもよいが閉塞してあってもよい。
【００７７】
また、前記実施の形態に示す片口金形のハロゲン電球Ｌ１〜Ｌ３において、コイル状のフィラメント５の断線時に断線部にアークが起り内外のリード線や導線に大電流が流れ、リード線や導線が溶断することによって封止部などバルブ３１が破損することや電源の安全ブレーカーを遮断して他の電気設備や電気器具にまで影響を及ぼすことがある。
【００７８】
この過電流による不具合の防止手段として図３（ａ）に示すように口金７の基体７１内において、外部導線２２と端子ピン７２との間においてヒューズ部材２０を介在させるのが好ましい。すなわち、コンスタンタンやモネルメタルなどからなるヒューズ２７の両端にニッケル線２６，２８を接続したヒューズ部材２０を、少なくとも一方の端子ピン７２側に設けることによって異常時に即、ヒューズ２７が溶断して通電を停止し電球Ｌ３の破損や他への影響を防ぐことができる。
【００７９】
前記図１〜図５に示された片口金形ハロゲン電球Ｌ１〜Ｌ３は、図６〜図９に示す照明装置（ホリゾントライト器具）９の光源として用いられる。図６は正面図、図７は側面図、図８は光放射開口部が開放された状態の側面図、図９は片口金形のハロゲン電球と反射鏡との関係を示す説明図である。
【００８０】
図において９１は筐体、９２は筐体９１の前面を覆う光放射開口、９３は筐体９１内に設けられ凹状に形成された反射鏡、９４はソケットでＧＹ形やＧ形の直方体形状をなし２ピン端子を有する口金を受容する筐体９１または反射鏡９３に例えば片口金形ハロゲン電球Ｌ１が水平となるよう取り付けられている。
【００８１】
なお、図中、９５は光放射開口９２に取着されたフィルター、９６は器具９の取付部、９７は給電線導入部であり、上記前面の光放射開口９２は筐体９１と蝶番（図示しない。）を介し接続され図８に示すように開放可能(開閉可能)の構造となっている。
【００８２】
この照明装置（ホリゾントライト器具）９は、図６〜図８に示す方向で天井やバトンなどに取付部９６が取り付けられたアッパー（上）ホリゾントライトとしてあるいは１８０度回転して取付部９６が床面などに取り付けられたロワー（下）ホリゾントライトとして、スタジオや舞台などの背景照明用などに広く用いられる。
【００８３】
そして、電球Ｌ１は図９に示すようにコイル状のフィラメント５が反射鏡９３の焦点軸に沿い配設されるとともに長尺リード部材２Ａ側が凹状反射鏡９３の最奥部９９側に配設されるように位置調整して取り付けたソケット９４に装着され、すなわち、電球Ｌ１は光放射開口９２側からはサポート部材２Ａおよび排気管３３が見えないよう装着してある。
【００８４】
また、電球Ｌ１はソケットに設けられたばね部材により口金７の端子ピン７２，７２部を挟圧したり、基体７１に形成した凹部や段部にばね部材を係止させたりして、ソケット９４から口金７部が脱落しないよう支持されている。
【００８５】
ソケット９４に装着された外管１内のハロゲン電球３は、給電線（図示しない。）を介して給電することによりソケット端子−端子ピン７２−外部リード２２−モリブデン箔２１−リード部材２Ａ，２Ｂ−（給電部材４４）−外部導線４３−モリブデン箔２１−内部導線４２を介しコイル状のフィラメント５に通電されフィラメント５が発光する。
【００８６】
この発光によりハロゲン電球３のバルブ３１周囲から外方にほぼ均等に光放射され、電球３が対面する光放射開口９２には主放射光となる直射光が、また、反対側の反射鏡９３に向かった光線は反射光となって光放射開口９２に入射し透過して光放射開口９２から放出される。
【００８７】
そして、反射鏡９３側に向かう放射光のうち長尺のサポート部材２Ａおよび排気管３３が位置する部分はこれら部材３３が放射光を遮蔽し、反射鏡９３および照射光に薄い筋状の陰影を生じたりチップオフ部３４のガラス塊のレンズ作用などによるスポットを生じる。
【００８８】
しかし、この陰影やスポットなどを含んだ光は反射鏡９３の反射光軸に沿って入射され、その殆どがハロゲン電球３に向って反射されるので、他の反射光および直射光とともに前面に向かい光放射開口９２から殆ど放射されることがない。
【００８９】
したがって、照射面における陰影やスポットの発生を低減して照度の均一化がはかれ、配光むらを抑制して配光特性の向上した照明装置（器具）を提供することができる。
【００９０】
また、ホリゾントライト器具として、光放射開口９２に取着されたフィルター９５は、背景照明などの演出シーンに合せ交換することができる。
【００９１】
また、この照明装置（器具）９は、上述したように組み込む片口金形ハロゲン電球Ｌ１には、外管２の圧潰した封止部１２にＧＸ形やＧ形などの一対の端子ピンを有した口金７を接合していることにより、ソケット９４への装着時に電球Ｌ１の方向性を容易に認識することができるなど電球Ｌ１の着脱や位置調整などの作業性も向上できる。
【００９２】
さらに、舞台、スタジオなどにおいては演出シーンに合せ器具位置の変更、移動や設置などが頻繁に行われるため、このとき筐体９１をはじめ内部の電球Ｌ１などに相当の振動や衝撃が加わるが、本発明の片口金形ハロゲン電球Ｌ１〜Ｌ３は、内部のコイル状フィラメント５の支持に特にアンカ８０〜８３の本数を変更する必要がない。
【００９３】
なお、本発明は上記実施の形態に示す片口金形ハロゲン電球Ｌ１〜Ｌ３および照明装置９に限るものではない。例えば外管や内部電球のバルブおよび絶縁性支持部材として用いられるビードなどのガラスは石英ガラスに限らず、アルミノシリケートガラスやホウケイ酸ガラスなどの硬質ガラスで形成されたものであってもよい。また、外管バルブの内表面などをサンドブラスト手段などで微細な凹凸加工を施し、放射光に光拡散性をもたせるようにしておいても差し支えない。
【００９４】
また、外管バルブの圧潰封止部内に封止される気密封止部材は箔状のものに限らず、線状のものでもよく、ガラスバルブの材質や封止部形状などに対応した金属を選べばよい。また、内部のハロゲン電球やコイル状フィラメントを支持する部材として頂部側にある排気管部を利用したが、排気管が他の部分にあったり有しないなどの場合は別に支持専用の係止部や係止部材などを設けるようにしてもよい。
【００９５】
さらに、照明装置（器具）は、筐体９１、光放射開口９２や反射鏡９３などの形状や構造は上記実施の形態に示すものに限らない。さらにまた、その用途もホリゾントライト用器具に限らず他の用途の照明器具であってもよい。
【図面の簡単な説明】
【００９６】
【図１】本発明の片口金形ハロゲン電球の第１の実施の形態を示す正面図である。
【図２】図１に示す電球の側面図である。
【図３】本発明の片口金形ハロゲン電球の第２の実施の形態を示し（ａ）図は正面図、同（ｂ）図は上面図である。
【図４】（ａ）図は図３の（ａ）図に示す電球の側面図、同（ｂ）図は上面図である。
【図５】本発明の片口金形ハロゲン電球の第３の実施の形態を示す正面図である。
【図６】本発明の照明装置（ホリゾントライト器具）の実施の形態を示す正面図である。
【図７】図６に示す照明装置（ホリゾントライト器具）の側面図である。
【図８】図７に示す照明装置（ホリゾントライト器具）の光放射開口が開放された状態の側面図である。
【図９】片口金形ハロゲン電球と反射鏡との関係を示す説明図である。
【符号の説明】
【００９７】
Ｌ１〜Ｌ３：片口金形ハロゲン電球、      １：片端封止形の外管、
１１：外管バルブ、                      １２：圧潰封止部、
１４：排気管、                          ２Ａ：長尺サポート部材、
２Ｂ：短尺サポート部材、                ２１：封止部材（モリブデン箔）、
３：両端封止形のハロゲン電球、          ３１：ガラスバルブ、
３２：圧潰封止部、                      ３３：排気管、
４３：外部導線、                        ５：フィラメント、
６：可視光透過赤外線反射膜、            ７：口金、
７１：基体、                            ７２：端子ピン、
８５：絶縁性支持部材、                  ８０,８１,８２,８３:アンカ、
９：照明装置(器具)、                    ９１：筐体、
９２：光放射開口、                      ９３：反射鏡、
９４：ソケット
【図１】
2009205927.tif 000003
【図２】
2009205927.tif 000004
【図３】
2009205927.tif 000005
【図４】
2009205927.tif 000006
【図５】
2009205927.tif 000007
【図６】
2009205927.tif 000008
【図７】
2009205927.tif 000009
【図８】
2009205927.tif 000010
【図９】
2009205927.tif 000011